(57)【要約】【課題】画像形成装置のキャリブレーションを簡易かつ的確に行うことができる画像形成装置用キャリブレーション装置を提供する。【解決手段】印刷物の測定された色彩値に基づく、表色系の明度を含まない直交２軸上の各値からターゲット値をそれぞれ減算することにより色ずれを算出する演算手段１２０と、演算手段により算出された色ずれの正負の逆転の回数、および色ずれの正負が逆転するときの色ずれの変化幅を検知可能に、フィードバック時のグレーバランスごとに色ずれを表示する表示手段１３０と、を有する。【選択図】図３
2014064107.tif 000002
【特許請求の範囲】
【請求項１】
画像形成装置により印刷された印刷物の色彩値の測定結果に基づく前記画像形成装置の色変換処理の補正による印刷物の色彩値のグレーバランスへのフィードバックを複数回行い、いずれかのフィードバック時の前記色変換処理の補正をユーザーによる選択に従い前記画像形成装置の色変換処理の補正に適用することによりキャリブレーションを行うキャリブレーション装置であって、
前記印刷物の測定された色彩値に基づく、表色系の明度を含まない直交２軸上の各値からターゲット値をそれぞれ減算することにより色ずれを算出する演算手段と、
前記演算手段により算出された前記色ずれの正負の逆転の回数、および前記色ずれの正負が逆転するときの前記色ずれの変化幅を検知可能に、前記フィードバック時の前記グレーバランスごとに前記色ずれを表示する表示手段と、
を有することを特徴とする画像形成装置用キャリブレーション装置。
【請求項２】
前記ターゲット値は、ステップパッチの色彩値に基づく、表色系の明度を含まない直交２軸上の値であり、
前記表示手段は、前記ステップパッチの階調順に連続的に前記色ずれをグラフとして表示することを特徴とする請求項１に記載の画像形成装置用キャリブレーション装置。
【請求項３】
前記ステップパッチは、前記画像形成装置による印刷における要素色のうちすべての有彩色が一定の比率で重ねられたパッチの前記有彩色の濃度が段階的に変化されてなる複数のパッチからなることを特徴とする請求項２に記載の画像形成装置用キャリブレーション装置。
【請求項４】
前記色ずれは、ＣＩＥＬＡＢ色空間のΔａ＊およびΔｂ＊、ＣＩＥＣＡＭ色空間のΔａおよびΔｂ、および、ＣＩＥＬＵＶ色空間のΔｕ＊およびΔｖ＊の少なくともいずれかであることを特徴とする請求項１〜３のいずれか一項に記載の画像形成装置用キャリブレーション装置。
【請求項５】
前記演算手段は、前記測定された色彩値に基づく色相角から対応する色相角のターゲット値をそれぞれ減算することにより色相角差をさらに算出し、
前記表示手段は、さらに、前記演算手段が算出した前記色相角差を前記ステップパッチの階調順に連続的に表示することを特徴とする請求項２〜４のいずれか一項に記載の画像形成装置用キャリブレーション装置。
【請求項６】
前記色ずれの正負の逆転の回数、および前記色ずれの正負が逆転するときの前記色ずれの変化幅の少なくともいずれかに基づいて色転びの発生を判定する判定手段をさらに有し、
前記表示手段は、前記判定手段が前記色転びの発生を判定したときに前記色転びの発生をさらに表示することを特徴とする請求項１〜５のいずれか一項に記載の画像形成装置用キャリブレーション装置。
【請求項７】
前記判定手段は、前記色ずれの正負の逆転の回数、および前記色ずれの正負が逆転するときの前記色ずれの変化幅の少なくともいずれかに基づいて前記色転びの程度を判定し、
前記表示手段は、前記判定手段により判定された前記色転びの程度をさらに表示することを特徴とする請求項６に記載の画像形成装置用キャリブレーション装置。
【請求項８】
前記表示手段は、前記フィードバックが行われた前記グレーバランスのうちユーザーにより指定された前記グレーバランスについて前記色ずれを表示し、ユーザーにより前記色ずれを表示すべき前記グレーバランスの指定がないときは、最後に前記フィードバックが行われた後の前記グレーバランスについて前記色ずれを表示することを特徴とする請求項１〜７に記載の画像形成装置用キャリブレーション装置。
【請求項９】
前記キャリブレーションには、前記印刷物の単色の色彩値の測定結果に基づく前記画像形成装置のグレーバランスへのフィードバックと、前記印刷物の複数の有彩色の重なりの色彩値の測定結果に基づく前記画像形成装置のグレーバランスへのフィードバックとが含まれ、前記表示手段は、いずれかのフィードバックが行われた前記グレーバランスのうちユーザーにより指定された前記グレーバランスについて前記色ずれを表示することを特徴とする請求項１〜７のいずれか一項に記載の画像形成装置用キャリブレーション装置。
【請求項１０】
前記印刷物の単色の色彩値の測定結果に基づく前記画像形成装置のグレーバランスへのフィードバックと、前記印刷物の複数の有彩色の重なりの色彩値の測定結果に基づく前記画像形成装置のグレーバランスへのフィードバックとの実行指示は、一つの画面において行われることを特徴とする請求項９に記載の画像形成装置用キャリブレーション装置。
【請求項１１】
画像形成装置により印刷された印刷物の色彩値の測定結果に基づく前記画像形成装置の色変換処理の補正による印刷物の色彩値のグレーバランスへのフィードバックを複数回行い、いずれかのフィードバック時の前記色変換処理の補正をユーザーによる選択に従い前記画像形成装置の色変換処理の補正に適用することによりキャリブレーションを行うキャリブレーション装置用プログラムであって、
前記印刷物の測定された色彩値に基づく、表色系の明度を含まない直交２軸上の各値からターゲット値をそれぞれ減算することにより色ずれを算出する手順（ａ）と、
前記手順（ａ）において算出された前記色ずれの正負の逆転の回数、および前記色ずれの正負が逆転するときの前記色ずれの変化幅を検知可能に、前記フィードバック時の前記グレーバランスごとに前記色ずれを表示する手順（ｂ）と、
を前記キャリブレーション装置に実行させることを特徴とするプログラム。
【請求項１２】
前記ターゲット値は、ステップパッチの色彩値に基づく、表色系の明度を含まない直交２軸上の値であり、
前記手順（ｂ）は、前記ステップパッチの階調順に連続的に前記色ずれをグラフとして表示することを特徴とする請求項１１に記載のプログラム。
【請求項１３】
前記ステップパッチは、前記画像形成装置による印刷における要素色のうちすべての有彩色が一定の比率で重ねられたパッチの前記有彩色の濃度が段階的に変化されてなる複数のパッチからなることを特徴とする請求項１２に記載のプログラム。
【請求項１４】
前記色ずれは、ＣＩＥＬＡＢ色空間のΔａ＊およびΔｂ＊、ＣＩＥＣＡＭ色空間のΔａおよびΔｂ、および、ＣＩＥＬＵＶ色空間のΔｕ＊およびΔｖ＊の少なくともいずれかであることを特徴とする請求項１１〜１３のいずれか一項に記載のプログラム。
【請求項１５】
前記手順（ａ）は、前記測定された色彩値に基づく色相角から対応する色相角のターゲット値をそれぞれ減算することにより色相角差をさらに算出し、
前記手順（ｂ）は、さらに、前記手順（ａ）において算出された前記色相角差を前記ステップパッチの階調順に連続的に表示することを特徴とする請求項１２〜１４のいずれか一項に記載のプログラム。
【請求項１６】
前記色ずれの正負の逆転の回数、および前記色ずれの正負が逆転するときの前記色ずれの変化幅の少なくともいずれかに基づいて色転びの発生を判定する手順（ｃ）をさらに有し、
前記手順（ｂ）は、前記手順（ｃ）において前記色転びの発生が判定されたときに前記色転びの発生をさらに表示することを特徴とする請求項１１〜１５のいずれか一項に記載のプログラム。
【請求項１７】
前記手順（ｃ）は、前記色ずれの正負の逆転の回数、および前記色ずれの正負が逆転するときの前記色ずれの変化幅の少なくともいずれかに基づいて前記色転びの程度を判定し、
前記手順（ｂ）は、前記手順（ｃ）において判定された前記色転びの程度をさらに表示することを特徴とする請求項１６に記載のプログラム。
【請求項１８】
前記手順（ｂ）は、前記フィードバックが行われた前記グレーバランスのうちユーザーにより指定された前記グレーバランスについて前記色ずれを表示し、ユーザーにより前記色ずれを表示すべき前記グレーバランスの指定がないときは、最後に前記フィードバックが行われた後の前記グレーバランスについて前記色ずれを表示することを特徴とする請求項１１〜１７に記載のプログラム。
【請求項１９】
前記キャリブレーションには、前記印刷物の単色の色彩値の測定結果に基づく前記画像形成装置のグレーバランスへのフィードバックと、前記印刷物の複数の有彩色の重なりの色彩値の測定結果に基づく前記画像形成装置のグレーバランスへのフィードバックとが含まれ、前記手順（ｂ）は、いずれかのフィードバックが行われた前記グレーバランスのうちユーザーにより指定された前記グレーバランスについて前記色ずれを表示することを特徴とする請求項１１〜１７のいずれか一項に記載のプログラム。
【請求項２０】
前記印刷物の単色の色彩値の測定結果に基づく前記画像形成装置のグレーバランスへのフィードバックと、前記印刷物の複数の有彩色の重なりの色彩値の測定結果に基づく前記画像形成装置のグレーバランスへのフィードバックとの実行指示は、一つの画面において行われることを特徴とする請求項１９に記載のプログラム。
【請求項２１】
請求項１１〜２０のいずれかに記載のプログラムが記録されたコンピュータ読取可能な記録媒体。
【請求項２２】
画像形成装置により印刷された印刷物の色彩値の測定結果に基づく前記画像形成装置の色変換処理の補正による印刷物の色彩値のグレーバランスへのフィードバックを複数回行い、いずれかのフィードバック時の前記色変換処理の補正をユーザーによる選択に従い前記画像形成装置の色変換処理の補正に適用することによりキャリブレーションを行うキャリブレーション方法であって、
前記印刷物の測定された色彩値に基づく、表色系の明度を含まない直交２軸上の各値からターゲット値をそれぞれ減算することにより色ずれを算出する段階（ａ）と、
前記段階（ａ）において算出された前記色ずれの正負の逆転の回数、および前記色ずれの正負が逆転するときの前記色ずれの変化幅を検知可能に、前記フィードバック時の前記グレーバランスごとに前記色ずれを表示する段階（ｂ）と、
を前記キャリブレーション装置に実行させることを特徴とするキャリブレーション方法。
【請求項２３】
前記ターゲット値は、ステップパッチの色彩値に基づく、表色系の明度を含まない直交２軸上の値であり、
前記段階（ｂ）は、前記ステップパッチの階調順に連続的に前記色ずれをグラフとして表示することを特徴とする請求項２２に記載のキャリブレーション方法。
【請求項２４】
前記ステップパッチは、前記画像形成装置による印刷における要素色のうちすべての有彩色が一定の比率で重ねられたパッチの前記有彩色の濃度が段階的に変化されてなる複数のパッチからなることを特徴とする請求項２３に記載のキャリブレーション方法。
【請求項２５】
前記色ずれは、ＣＩＥＬＡＢ色空間のΔａ＊およびΔｂ＊、ＣＩＥＣＡＭ色空間のΔａおよびΔｂ、および、ＣＩＥＬＵＶ色空間のΔｕ＊およびΔｖ＊の少なくともいずれかであることを特徴とする請求項２２〜２４のいずれか一項に記載のキャリブレーション方法。
【請求項２６】
前記段階（ａ）は、前記測定された色彩値に基づく色相角から対応する色相角のターゲット値をそれぞれ減算することにより色相角差をさらに算出し、
前記段階（ｂ）は、さらに、前記段階（ａ）において算出された前記色相角差を前記ステップパッチの階調順に連続的に表示することを特徴とする請求項２３〜２５のいずれか一項に記載のキャリブレーション方法。
【請求項２７】
前記色ずれの正負の逆転の回数、および前記色ずれの正負が逆転するときの前記色ずれの変化幅の少なくともいずれかに基づいて色転びの発生を判定する段階（ｃ）をさらに有し、
前記段階（ｂ）は、前記段階（ｃ）において前記色転びの発生が判定されたときに前記色転びの発生をさらに表示することを特徴とする請求項２２〜２６のいずれか一項に記載のキャリブレーション方法。
【請求項２８】
前記段階（ｃ）は、前記色ずれの正負の逆転の回数、および前記色ずれの正負が逆転するときの前記色ずれの変化幅の少なくともいずれかに基づいて前記色転びの程度を判定し、
前記段階（ｂ）は、前記段階（ｃ）において判定された前記色転びの程度をさらに表示することを特徴とする請求項２７に記載のキャリブレーション方法。
【請求項２９】
前記段階（ｂ）は、前記フィードバックが行われた前記グレーバランスのうちユーザーにより指定された前記グレーバランスについて前記色ずれを表示し、ユーザーにより前記色ずれを表示すべき前記グレーバランスの指定がないときは、最後に前記フィードバックが行われた後の前記グレーバランスについて前記色ずれを表示することを特徴とする請求項２２〜２８に記載のキャリブレーション方法。
【請求項３０】
前記キャリブレーションには、前記印刷物の単色の色彩値の測定結果に基づく前記画像形成装置のグレーバランスへのフィードバックと、前記印刷物の複数の有彩色の重なりの色彩値の測定結果に基づく前記画像形成装置のグレーバランスへのフィードバックとが含まれ、前記段階（ｂ）は、いずれかのフィードバックが行われた前記グレーバランスのうちユーザーにより指定された前記グレーバランスについて前記色ずれを表示することを特徴とする請求項２２〜２８のいずれか一項に記載のキャリブレーション方法。
【請求項３１】
前記印刷物の単色の色彩値の測定結果に基づく前記画像形成装置のグレーバランスへのフィードバックと、前記印刷物の複数の有彩色の重なりの色彩値の測定結果に基づく前記画像形成装置のグレーバランスへのフィードバックとの実行指示は、一つの画面において行われることを特徴とする請求項３０に記載のキャリブレーション方法。
【発明の詳細な説明】
【技術分野】
【０００１】
本発明は、画像形成装置用キャリブレーション装置、キャリブレーション装置用プログラム、キャリブレーション装置用プログラムが記録されたコンピュータ読取可能な記録媒体、および画像形成装置のキャリブレーション方法に関する。
【背景技術】
【０００２】
画像形成装置の全体的な色再現精度評価においては、通常、色差ΔＥを指標とするカラーマッチングによる評価がなされる。しかし、画像形成装置のキャリブレーションにおいては、色差ΔＥを用いたカラーマッチングだけでは不十分であり、全体的な色再現精度に加えて、グレーバランスの色再現精度（以下、「グレーバランス精度」と称する）を向上させることが必要となる。
【０００３】
一方、キャリブレーションにおいて測色値のグレーバランスへのフィードバックを繰り返すとグレーバランス精度を向上させることができるが、グレーバランス精度向上の限界に近づくとさらにフィードバックを繰り返しても同程度のグレーバランス精度が続く。このため、複数回のフィードバックにより得られた複数のグレーバランスのうちいずれが最適かを判断するには、色再現性に関する他の指標を考慮する必要がある。
【０００４】
画像形成装置のキャリブレーションに関連する技術としては、基準画像の測色値と被評価画像の測色値とから得られる色差、メトリック値、およびこれらから算出される色再現指標および色差統計量等の複数の評価尺度を表示する。これにより、総合的な色再現性の的確な評価を可能にするというものがある（特許文献１）。
【先行技術文献】
【特許文献】
【０００５】
【特許文献１】特開２００３−１４５４４号公報
【発明の概要】
【発明が解決しようとする課題】
【０００６】
しかし、上記従来技術は、複数回のフィードバック結果を比較判断するためには判断材料が多く、煩雑すぎるという問題がある。
【０００７】
また、本来表現すべき色に対し赤味が強い方向への色ずれと青味が強い方向への色ずれが一の画像において混在すると数値評価による色差ΔＥのずれ以上に実際の印刷物の目視評価における色再現性が劣化する。しかし、上記従来技術は、このような色ずれの方向の逆転の観点から最適なキャリブレーションがなされないという問題がある。
【０００８】
本発明は、このような問題を解決するためになされたものである。すなわち、複数回のフィードバックにより得られた複数のグレーバランスのうちいずれが最適かを判断する際、色ずれの正負が逆転する回数、および色ずれの正負が逆転するときの色ずれの変化幅を各グレーバランスについて検知可能に表示する。これにより、ユーザーは、色ずれの正負の逆転の回数、および色ずれの正負が逆転するときの色ずれの変化幅の少なくともいずれかに基づいて、色ずれの方向が逆転する状態である色転びの程度を判断することができる。そして、色転びの程度がより低いグレーバランスを画像形成装置のグレーバランスとして適用することにより、画像形成装置のキャリブレーションを簡易かつ的確に行うことができる。
【課題を解決するための手段】
【０００９】
本発明の上記課題は、以下の手段によって解決される。
【００１０】
（１）画像形成装置により印刷された印刷物の色彩値の測定結果に基づく前記画像形成装置の色変換処理の補正による印刷物の色彩値のグレーバランスへのフィードバックを複数回行い、いずれかのフィードバック時の前記色変換処理の補正をユーザーによる選択に従い前記画像形成装置の色変換処理の補正に適用することによりキャリブレーションを行うキャリブレーション装置であって、前記印刷物の測定された色彩値に基づく、表色系の明度を含まない直交２軸上の各値からターゲット値をそれぞれ減算することにより色ずれを算出する演算手段と、前記演算手段により算出された前記色ずれの正負の逆転の回数、および前記色ずれの正負が逆転するときの前記色ずれの変化幅を検知可能に、前記フィードバック時の前記グレーバランスごとに前記色ずれを表示する表示手段と、を有する画像形成装置用キャリブレーション装置。
【００１１】
（２）前記ターゲット値は、ステップパッチの色彩値に基づく、表色系の明度を含まない直交２軸上の値であり、前記表示手段は、前記ステップパッチの階調順に連続的に前記色ずれをグラフとして表示する上記（１）に記載の画像形成装置用キャリブレーション装置。
【００１２】
（３）前記ステップパッチは、前記画像形成装置による印刷における要素色のうちすべての有彩色が一定の比率で重ねられたパッチの前記有彩色の濃度が段階的に変化されてなる複数のパッチからなる上記（２）に記載の画像形成装置用キャリブレーション装置。
【００１３】
（４）前記色ずれは、ＣＩＥＬＡＢ色空間のΔａ＊およびΔｂ＊、ＣＩＥＣＡＭ色空間のΔａおよびΔｂ、および、ＣＩＥＬＵＶ色空間のΔｕ＊およびΔｖ＊の少なくともいずれかである上記（１）〜（３）のいずれかに記載の画像形成装置用キャリブレーション装置。
【００１４】
（５）前記演算手段は、前記測定された色彩値に基づく色相角から対応する色相角のターゲット値をそれぞれ減算することにより色相角差をさらに算出し、前記表示手段は、さらに、前記演算手段が算出した前記色相角差を前記ステップパッチの階調順に連続的に表示する上記（２）〜（４）のいずれかに記載の画像形成装置用キャリブレーション装置。
【００１５】
（６）前記色ずれの正負の逆転の回数、および前記色ずれの正負が逆転するときの前記色ずれの変化幅の少なくともいずれかに基づいて色転びの発生を判定する判定手段をさらに有し、前記表示手段は、前記判定手段が前記色転びの発生を判定したときに前記色転びの発生をさらに表示する上記（１）〜（５）のいずれかに記載の画像形成装置用キャリブレーション装置。
【００１６】
（７）前記判定手段は、前記色ずれの正負の逆転の回数、および前記色ずれの正負が逆転するときの前記色ずれの変化幅の少なくともいずれかに基づいて前記色転びの程度を判定し、前記表示手段は、前記判定手段により判定された前記色転びの程度をさらに表示する上記（６）に記載の画像形成装置用キャリブレーション装置。
【００１７】
（８）前記表示手段は、前記フィードバックが行われた前記グレーバランスのうちユーザーにより指定された前記グレーバランスについて前記色ずれを表示し、ユーザーにより前記色ずれを表示すべき前記グレーバランスの指定がないときは、最後に前記フィードバックが行われた後の前記グレーバランスについて前記色ずれを表示する上記（１）〜（７）に記載の画像形成装置用キャリブレーション装置。
【００１８】
（９）前記キャリブレーションには、前記印刷物の単色の色彩値の測定結果に基づく前記画像形成装置のグレーバランスへのフィードバックと、前記印刷物の複数の有彩色の重なりの色彩値の測定結果に基づく前記画像形成装置のグレーバランスへのフィードバックとが含まれ、前記表示手段は、いずれかのフィードバックが行われた前記グレーバランスのうちユーザーにより指定された前記グレーバランスについて前記色ずれを表示する上記（１）〜（７）のいずれかに記載の画像形成装置用キャリブレーション装置。
【００１９】
（１０）前記印刷物の単色の色彩値の測定結果に基づく前記画像形成装置のグレーバランスへのフィードバックと、前記印刷物の複数の有彩色の重なりの色彩値の測定結果に基づく前記画像形成装置のグレーバランスへのフィードバックとの実行指示は、一つの画面において行われる上記（９）に記載の画像形成装置用キャリブレーション装置。
【００２０】
（１１）画像形成装置により印刷された印刷物の色彩値の測定結果に基づく前記画像形成装置の色変換処理の補正による印刷物の色彩値のグレーバランスへのフィードバックを複数回行い、いずれかのフィードバック時の前記色変換処理の補正をユーザーによる選択に従い前記画像形成装置の色変換処理の補正に適用することによりキャリブレーションを行うキャリブレーション装置用プログラムであって、前記印刷物の測定された色彩値に基づく、表色系の明度を含まない直交２軸上の各値からターゲット値をそれぞれ減算することにより色ずれを算出する手順（ａ）と、前記手順（ａ）において算出された前記色ずれの正負の逆転の回数、および前記色ずれの正負が逆転するときの前記色ずれの変化幅を検知可能に、前記フィードバック時の前記グレーバランスごとに前記色ずれを表示する手順（ｂ）と、を前記キャリブレーション装置に実行させるプログラム。
【００２１】
（１２）前記ターゲット値は、ステップパッチの色彩値に基づく、表色系の明度を含まない直交２軸上の値であり、前記手順（ｂ）は、前記ステップパッチの階調順に連続的に前記色ずれをグラフとして表示する上記（１１）に記載のプログラム。
【００２２】
（１３）前記ステップパッチは、前記画像形成装置による印刷における要素色のうちすべての有彩色が一定の比率で重ねられたパッチの前記有彩色の濃度が段階的に変化されてなる複数のパッチからなる上記（１２）に記載のプログラム。
【００２３】
（１４）前記色ずれは、ＣＩＥＬＡＢ色空間のΔａ＊およびΔｂ＊、ＣＩＥＣＡＭ色空間のΔａおよびΔｂ、および、ＣＩＥＬＵＶ色空間のΔｕ＊およびΔｖ＊の少なくともいずれかである上記（１１）〜（１３）のいずれかに記載のプログラム。
【００２４】
（１５）前記手順（ａ）は、前記測定された色彩値に基づく色相角から対応する色相角のターゲット値をそれぞれ減算することにより色相角差をさらに算出し、前記手順（ｂ）は、さらに、前記手順（ａ）において算出された前記色相角差を前記ステップパッチの階調順に連続的に表示する上記（１２）〜（１４）のいずれかに記載のプログラム。
【００２５】
（１６）前記色ずれの正負の逆転の回数、および前記色ずれの正負が逆転するときの前記色ずれの変化幅の少なくともいずれかに基づいて色転びの発生を判定する手順（ｃ）をさらに有し、前記手順（ｂ）は、前記手順（ｃ）において前記色転びの発生が判定されたときに前記色転びの発生をさらに表示する上記（１１）〜（１５）のいずれかに記載のプログラム。
【００２６】
（１７）前記手順（ｃ）は、前記色ずれの正負の逆転の回数、および前記色ずれの正負が逆転するときの前記色ずれの変化幅の少なくともいずれかに基づいて前記色転びの程度を判定し、前記手順（ｂ）は、前記手順（ｃ）において判定された前記色転びの程度をさらに表示する上記（１６）に記載のプログラム。
【００２７】
（１８）前記手順（ｂ）は、前記フィードバックが行われた前記グレーバランスのうちユーザーにより指定された前記グレーバランスについて前記色ずれを表示し、ユーザーにより前記色ずれを表示すべき前記グレーバランスの指定がないときは、最後に前記フィードバックが行われた後の前記グレーバランスについて前記色ずれを表示する上記（１１）〜（１７）に記載のプログラム。
【００２８】
（１９）前記キャリブレーションには、前記印刷物の単色の色彩値の測定結果に基づく前記画像形成装置のグレーバランスへのフィードバックと、前記印刷物の複数の有彩色の重なりの色彩値の測定結果に基づく前記画像形成装置のグレーバランスへのフィードバックとが含まれ、前記手順（ｂ）は、いずれかのフィードバックが行われた前記グレーバランスのうちユーザーにより指定された前記グレーバランスについて前記色ずれを表示する上記（１１）〜（１７）のいずれかに記載のプログラム。
【００２９】
（２０）前記印刷物の単色の色彩値の測定結果に基づく前記画像形成装置のグレーバランスへのフィードバックと、前記印刷物の複数の有彩色の重なりの色彩値の測定結果に基づく前記画像形成装置のグレーバランスへのフィードバックとの実行指示は、一つの画面において行われる上記（１９）に記載のプログラム。
【００３０】
（２１）上記（１１）〜（２０）のいずれかに記載のプログラムが記録されたコンピュータ読取可能な記録媒体。
【００３１】
（２２）画像形成装置により印刷された印刷物の色彩値の測定結果に基づく前記画像形成装置の色変換処理の補正による印刷物の色彩値のグレーバランスへのフィードバックを複数回行い、いずれかのフィードバック時の前記色変換処理の補正をユーザーによる選択に従い前記画像形成装置の色変換処理の補正に適用することによりキャリブレーションを行うキャリブレーション方法であって、前記印刷物の測定された色彩値に基づく、表色系の明度を含まない直交２軸上の各値からターゲット値をそれぞれ減算することにより色ずれを算出する段階（ａ）と、前記段階（ａ）において算出された前記色ずれの正負の逆転の回数、および前記色ずれの正負が逆転するときの前記色ずれの変化幅を検知可能に、前記フィードバック時の前記グレーバランスごとに前記色ずれを表示する段階（ｂ）と、を前記キャリブレーション装置に実行させるキャリブレーション方法。
【００３２】
（２３）前記ターゲット値は、ステップパッチの色彩値に基づく、表色系の明度を含まない直交２軸上の値であり、前記段階（ｂ）は、前記ステップパッチの階調順に連続的に前記色ずれをグラフとして表示する上記（２２）に記載のキャリブレーション方法。
【００３３】
（２４）前記ステップパッチは、前記画像形成装置による印刷における要素色のうちすべての有彩色が一定の比率で重ねられたパッチの前記有彩色の濃度が段階的に変化されてなる複数のパッチからなる上記（２３）に記載のキャリブレーション方法。
【００３４】
（２５）前記色ずれは、ＣＩＥＬＡＢ色空間のΔａ＊およびΔｂ＊、ＣＩＥＣＡＭ色空間のΔａおよびΔｂ、および、ＣＩＥＬＵＶ色空間のΔｕ＊およびΔｖ＊の少なくともいずれかである上記（２２）〜（２４）のいずれかに記載のキャリブレーション方法。
【００３５】
（２６）前記段階（ａ）は、前記測定された色彩値に基づく色相角から対応する色相角のターゲット値をそれぞれ減算することにより色相角差をさらに算出し、前記段階（ｂ）は、さらに、前記段階（ａ）において算出された前記色相角差を前記ステップパッチの階調順に連続的に表示する上記（２３）〜（２５）のいずれかに記載のキャリブレーション方法。
【００３６】
（２７）前記色ずれの正負の逆転の回数、および前記色ずれの正負が逆転するときの前記色ずれの変化幅の少なくともいずれかに基づいて色転びの発生を判定する段階（ｃ）をさらに有し、前記段階（ｂ）は、前記段階（ｃ）において前記色転びの発生が判定されたときに前記色転びの発生をさらに表示する上記（２２）〜（２６）のいずれかに記載のキャリブレーション方法。
【００３７】
（２８）前記段階（ｃ）は、前記色ずれの正負の逆転の回数、および前記色ずれの正負が逆転するときの前記色ずれの変化幅の少なくともいずれかに基づいて前記色転びの程度を判定し、前記段階（ｂ）は、前記段階（ｃ）において判定された前記色転びの程度をさらに表示する上記（２７）に記載のキャリブレーション方法。
【００３８】
（２９）前記段階（ｂ）は、前記フィードバックが行われた前記グレーバランスのうちユーザーにより指定された前記グレーバランスについて前記色ずれを表示し、ユーザーにより前記色ずれを表示すべき前記グレーバランスの指定がないときは、最後に前記フィードバックが行われた後の前記グレーバランスについて前記色ずれを表示する上記（２２）〜（２８）に記載のキャリブレーション方法。
【００３９】
（３０）前記キャリブレーションには、前記印刷物の単色の色彩値の測定結果に基づく前記画像形成装置のグレーバランスへのフィードバックと、前記印刷物の複数の有彩色の重なりの色彩値の測定結果に基づく前記画像形成装置のグレーバランスへのフィードバックとが含まれ、前記段階（ｂ）は、いずれかのフィードバックが行われた前記グレーバランスのうちユーザーにより指定された前記グレーバランスについて前記色ずれを表示する上記（２２）〜（２８）のいずれかに記載のキャリブレーション方法。
【００４０】
（３１）前記印刷物の単色の色彩値の測定結果に基づく前記画像形成装置のグレーバランスへのフィードバックと、前記印刷物の複数の有彩色の重なりの色彩値の測定結果に基づく前記画像形成装置のグレーバランスへのフィードバックとの実行指示は、一つの画面において行われる上記（３０）に記載のキャリブレーション方法。
【発明の効果】
【００４１】
測色値に基づくグレーバランスへの複数回のフィードバックにより得られた複数のグレーバランスのうちいずれが最適かを判断する際、色ずれの正負が逆転する回数、および色ずれの正負が逆転するときの色ずれの変化幅を検知可能に各グレーバランスについて色ずれを表示する。これにより、ユーザーは、色ずれの正負の逆転の回数、および色ずれの正負が逆転するときの色ずれの変化幅の少なくともいずれかに基づいて、色ずれの方向が逆転する状態である色転びの程度を判断することができる。そして、色転びの程度がより低いグレーバランスを画像形成装置のグレーバランスとして適用することにより、画像形成装置のキャリブレーションを簡易かつ的確に行うことができる。
【図面の簡単な説明】
【００４２】
【図１】本発明の第１実施形態に係るキャリブレーション装置を含む画像形成システムを示すブロック図である。
【図２】クライアントコンピュータの構成を示すブロック図である。
【図３】クライアントコンピュータの機能を示すブロック図である。
【図４】プリンターコントローラの構成を示すブロック図である。
【図５】プリンターの構成を示すブロック図である。
【図６】本発明の第１実施形態に係る画像形成装置のキャリブレーション方法のフローチャートを示す図である。
【図７】キャリブレーションマネージャー画面を示す図である。
【図８】色ずれの正負の逆転の回数、および色ずれの正負が逆転するときの色ずれの変化幅が検知可能に示されている色ずれのグラフを示す説明図である。
【図９】比較例および実施例のグレーバランスの色ずれのグラフを示す図である。
【図１０】本発明の第２実施形態に係るキャリブレーション装置を構成するクライアントコンピュータの機能を示すブロック図である。
【図１１】クライアントコンピュータの表示部に表示される色ずれのグラフに色ずれの正負が逆転する箇所が表示された状態を示す説明図である。
【発明を実施するための形態】
【００４３】
（第１実施形態）
以下、図面を参照して、本発明の第１実施形態に係る画像形成装置用キャリブレーション装置、キャリブレーション装置用プログラム、キャリブレーション装置用プログラムが記録されたコンピュータ読取可能な記録媒体、および画像形成装置のキャリブレーション方法について詳細に説明する。
【００４４】
図１は、本実施形態に係るキャリブレーション装置を含む画像形成システムを示すブロック図である。
【００４５】
画像形成システム１は、クライアントコンピュータ１０、測色器２０、プリンターコントローラ３０、およびプリンター４０を有する。クライアントコンピュータ１０は、本実施形態に係るキャリブレーション装置を構成する。プリンターコントローラ３０およびプリンター４０は、画像形成装置を構成する。
【００４６】
クライアントコンピュータ１０とプリンタコントローラ３０とは、ネットワーク５０を介して相互に通信可能に接続される。ネットワーク５０は、イーサネット（登録商標）、ＢＬＵＥＴＯＯＴＨ（登録商標）、ＩＥＥＥ８０２．１１などの規格によりコンピュータやネットワーク機器同士を接続した有線または無線のＬＡＮ（Ｌｏｃａｌ  Ａｒｅａ  Ｎｅｔｗｏｒｋ）、あるいは、ＬＡＮ同士を専用線で接続したＷＡＮ（Ｗｉｄｅ  Ａｒｅａ  Ｎｅｔｗｏｒｋ）により構成することができる。
【００４７】
クライアントコンピュータ１０と測色器２０とはイーサネットにより専用線７０で接続されることができる（ＵＳＢ接続も可）。
【００４８】
プリンタコントローラ３０とプリンター４０とはＩＥＥＥ１３９４規格に基づく高速シリアルバスインターフェースにより専用線６０で接続されることができる。なお、プリンタコントローラ３０とプリンター４０とはイーサネットにより接続されてもよい。
【００４９】
ネットワーク５０に接続される機器の種類および台数は、図１に示す例に限定されない。例えば、プリンターコントローラ３０とプリンター４０とは、一体としてＭＦＰ（Ｍｕｌｔｉ−Ｆｕｎｃｔｉｏｎ  Ｐｅｒｉｐｈｅｒａｌ）により構成され、ネットワーク５０に接続されてもよい。
【００５０】
図２は、図１に示されるクライアントコンピュータの構成を示すブロック図である。
【００５１】
図２に示すように、クライアントコンピュータ１０は、ＣＰＵ（Ｃｅｎｔｒａｌ  Ｐｒｏｃｅｓｓｉｎｇ  Ｕｎｉｔ）１００、ＲＡＭ（Ｒａｎｄｏｍ  Ａｃｃｅｓｓ  Ｍｅｍｏｒｙ）１０１、ＲＯＭ（Ｒｅａｄ  Ｏｎｌｙ  Ｍｅｍｏｒｙ）１０２、ＨＤＤ１０３、操作部１０４、表示部１０５および通信インターフェース部１０６を備えており、これらは信号をやり取りするためのバス１０７を介して相互に接続される。
【００５２】
ＣＰＵ１００、ＲＡＭ１００、ＲＯＭ１０２、およびＨＤＤ１０３は演算手段および判定手段を構成する。表示部１０５は表示手段を構成する。
【００５３】
ＣＰＵ１００は、プログラムに従って上記各部の制御や各種の演算処理を行う。
【００５４】
ＲＡＭ１０１は、作業領域として一時的にプログラムやデータを記憶する。
【００５５】
ＲＯＭ１０２は、各種プログラムや各種データを格納する。
【００５６】
ＨＤＤ１０３は、オペレーティングシステムを含む各種プログラムや各種データを格納する。
【００５７】
操作部１０４は、例えばマウスといったポインティングデバイスやキーボード、タッチパネルを含み、各種の操作、入力を行うために使用される。
【００５８】
表示部１０５は、例えば液晶ディスプレイであり、各種の情報を表示する。
【００５９】
通信インターフェース部１０６は、外部機器と通信するためのインターフェースであり、イーサネット（登録商標）、ＳＡＴＡ（Ｓｅｒｉａｌ  Ａｄｖａｎｃｅｄ  Ｔｅｃｈｎｏｌｏｇｙ  Ａｔｔａｃｈｍｅｎｔ）、ＰＣＩ  Ｅｘｐｒｅｓｓ、ＵＳＢ、ＩＥＥＥ１３９４等の規格によるネットワークインターフェース、ＢＬＵＥＴＯＯＴＨ（登録商標）、ＩＥＥＥ８０２．１１等の無線通信インターフェース、電話回線に接続するための電話回線インターフェース等を利用することができる。
【００６０】
図３は、クライアントコンピュータの機能を示すブロック図である。
【００６１】
図３に示されるクライアントコンピュータ１０の機能は、ＨＤＤ１０３に記憶されているキャリブレーション装置用プログラムにより実現されることができる。
【００６２】
クライアントコンピュータ１０の機能は、入力部１１０、色調整指示部１２０、表示部１３０、および出力部１４０により実現される。
【００６３】
色調整指示部１２０は演算手段を構成する。表示部１３０は表示手段を構成する。
【００６４】
入力部１１０は、指示・選択入力部１１１と測色値受信部１１２とを有する。
【００６５】
指示・選択入力部１１１には、ユーザーによりキャリブレーションの指示が入力される。指示・選択入力部１１１は、入力されたキャリブレーションの指示を色調整指示部１２０に送信する。
【００６６】
また、指示・選択入力部１１１には、プリンター４０により印刷されたステップパッチの測定された色彩値（以下、「測色値」と称する）に基づく色変換テーブルの補正が複数回行われた後、何回目の補正時のステップパッチの測色値の色ずれを表示部１３０に表示するかの選択がユーザーにより入力される。指示・選択入力部１１１は、入力されたユーザーによる選択を色調整指示部１２０に送信する。
【００６７】
ここで、ステップパッチとは、プリンターの要素色のうちすべての有彩色を一定比率で重ねたパッチの各有彩色の濃度を段階的に変化させた複数のパッチからなるチャートを含む色変換処理の補正用測定チャートである。例えば、ＣＭＹＫ（シアン（Ｃｙａｎ）、マゼンタ（Ｍａｇｅｎｔａ）、イエロー（Ｙｅｌｌｏｗ）、キー（Ｋｅｙ））がプリンターの要素色の場合、無彩色であるＫを除いて、ＣＭＹの比率が１：１：１の場合は、ステップパッチを構成するパッチは、各要素色の濃度がＣ＝１０％、Ｍ＝１０％、Ｙ＝１０％、Ｋ＝０％のものから、Ｃ＝１００％、Ｍ＝１００％、Ｙ＝１００％、Ｋ＝０％のものまでとなる。
【００６８】
ステップパッチには、単色のパッチの濃度を段階的に変化させた複数のパッチからなるチャートが含まれる。
【００６９】
また、色ずれとは、ステップパッチの測色値とターゲット値との差をいう。
【００７０】
ここで、ターゲット値とは、プリンター４０により印刷される印刷物の目標とする色彩値をいう。なお、ターゲット値には、目標とする色彩値の数値データが用いられてもよく、印刷される印刷物の目標とする色彩値を有するステップパッチの測色値が用いられてもよい。
【００７１】
さらに、指示・選択入力部１１１には、測色値に基づく、色変換テーブルの補正によるグレーバランスへのフィードバックが複数回行われた後、何回目の補正時のグレーバランスをプリンターコントローラ３０による色変換処理に適用するかの選択が入力される。指示・選択入力部１１１は、入力されたユーザーによる選択を色調整指示部１２０に送信する。
【００７２】
測色値受信部１１２は、プリンター４０により印刷されたステップパッチの測色値を測色器２０から受信する。
【００７３】
色調整指示部１２０は、指示・選択入力部１１１からキャリブレーションの指示を受信すると、キャリブレーションの実施を開始する。キャリブレーションは、以下の作業により実施される。
【００７４】
（１）色調整指示部１２０は、プリンターコントローラ３０に対して、色変換テーブルを用いた色変換処理によりステップパッチを色変換し、プリンター４０から色変換されたステップパッチを印刷するように指示する。
【００７５】
（２）ユーザーは、プリンター４０により印刷されたステップパッチを測色器２０により測色し、ステップパッチの測色値を測色器２０からクライアントコンピュータ１０に送信させる。
【００７６】
（３）色調整指示部１２０は、指示・選択入力部１１１を介して受信したステップパッチの測色値からターゲット値を減算することにより色ずれを算出し、算出した色ずれを表示部１３０に送信して表示させる。
【００７７】
（４）色調調整部１２０またはユーザーは、色差ΔＥが小さくなるように色変換テーブルを補正する。
【００７８】
（５）上記（１）〜（４）を複数回繰り返すことにより、ステップパッチの測色値に基づいて色変換テーブルを補正するフィードバックを複数回行う。
【００７９】
（６）色調整指示部１２０は、フィードバックにより補正された色変換テーブルのうちユーザーにより選択された補正時の色変換テーブルを出力部１３０を介してプリンターコントローラ３０に登録し、色変換処理に使用される色変換テーブルとして適用する。
【００８０】
上記（６）において、色調整指示部１２０は、ステップパッチの測色値に基づく色変換テーブルの補正が複数回行われた後、何回目の補正時のステップパッチの測色値の色ずれを表示部１３０に表示するかの選択を指示・選択入力部１１１から受信する。色調整指示部１２０は、ユーザーにより選択された補正時の色ずれを表示部１３０に表示させる。
【００８１】
また、色調整指示部１２０は、色変換テーブルの補正が複数回の補正が行われた後、何回目の補正時の色変換テーブルをプリンターコントローラ３０による色変換処理に適用するかの選択を受信する。
【００８２】
これにより、ユーザーは、いずれかの補正時の色変換テーブルによる色変換処理をプリンターコントローラ３０に適用するかを、ステップパッチの測色値の色ずれの方向が逆転する状態である色転びの程度に基づいて判断することができる。すなわち、ユーザーは、色転びの程度がより小さいグレーバランスの印刷が可能となるようにプリンターコントローラ３０による色変換処理を補正することができる。
【００８３】
表示部１３０は、色調整指示部１２０による指示に基づいて、色ずれその他の各種データを表示する。
【００８４】
出力部１４０は、色調整指示部１２０による指示に基づいて、各種指示および各種データをプリンターコントローラ３０に送信する。
【００８５】
図４は、プリンターコントローラの構成を示すブロック図である。
【００８６】
プリンターコントローラ３０は、ＣＰＵ３００、ＲＡＭ３０１、ＲＯＭ３０２、ＨＤＤ３０３、通信インターフェース部３０４、操作部３０５、表示部３０６、画像処理部３０７、およびプリンターインターフェース部３０８を備えており、これらは信号をやり取りするためのバス３０９を介して相互に接続される。
【００８７】
なお、ＣＰＵ３００、ＲＡＭ３０１、ＲＯＭ３０２、ＨＤＤ３０３、および通信インターフェース部３０４の各作用はクライアントコンピュータ１０の対応する構成要素と同様であるため、重複となる説明は省略する。
【００８８】
ＨＤＤ３０３は、ステップパッチの測色値に基づくフィードバックにより補正された色変換テーブルのうちクライアントコンピュータ１０により登録の指示を受けた色変換テーブルを記憶し、色変換処理において使用される色変換テーブルとして登録する。なお、ＨＤＤ３０３は、キャリブレーションにおいて複数回行われるステップパッチの測色値に基づくフィードバックによる各補正時の色変換テーブルをさらに記憶することができる。
【００８９】
画像処理部３０７は、クライアントコンピュータ１０から受信した印刷データをビットマップ形式の画像データに展開するラスタライズ処理を行う。ラスタライズ処理には、言語解析処理、色変換処理、スクリーン処理が含まれる。
【００９０】
ここで、言語解析処理とは、印刷データであるＰＤＬ（Ｐａｇｅ  Ｄｅｓｃｒｉｐｔｉｏｎ  Ｌａｎｇｕａｇｅ）データを解釈してＤｉｓｐｌａｙＬｉｓｔとよばれる中間データに変換する処理である。中間データは、オブジェクトごとに生成されてもよいし、バンド単位で生成されてもよい。
【００９１】
また、色変換処理とは、言語解析処理によって生成された中間データの色空間を出力用の色空間に変換するための処理である。
【００９２】
中間データの色は、ＣＭＹＫの色空間で指定されることができる。
【００９３】
色変換処理には色変換テーブルが用いられる。色変換テーブルは、例えば、ＩＣＣ(Ｉｎｔｅｒｎａｔｉｏｎａｌ  Ｃｏｌｏｒ  Ｃｏｎｓｏｒｔｉｕｍ)プロファイルを用いて記述されることができる。
【００９４】
また、スクリーン処理とは、色変換された中間データを２値化する処理であり、このスクリーン処理によって１ページ分のビットマップデータが生成される。
【００９５】
プリンタインタフェース３０８は、ローカル接続されたプリンター３０と通信するためのインタフェースである。
【００９６】
プリンタインタフェース３０８からは、プリンター４０に対して画像データであるビットマップデータと印刷出力方法についての指示とが送信される。
【００９７】
図５は、プリンターの構成を示すブロック図である。
【００９８】
プリンター４０は、ＣＰＵ４００、ＲＡＭ４０１、ＲＯＭ４０２、ＨＤＤ４０３、操作部４０４、表示部４０５、印刷処理部４０６、スキャン処理部４０７、およびコントローラーインターフェース部４０８を備えており、これらは信号をやり取りするためのバス４０９を介して相互に接続される。
【００９９】
なお、ＣＰＵ４００、ＲＡＭ４０１、ＲＯＭ４０２、ＨＤＤ４０３、操作部４０４、および表示部４０５の各作用はクライアントコンピュータ１０の対応する構成要素と同様であるため、重複となる説明は省略する。
【０１００】
印刷処理部４０６は、電子写真式プロセス等の周知の作像プロセスを用いて、プリンターコントローラ３０から受信した画像データに基づく画像をプリンターコントローラ３０から受信した印刷出力方法に関する指示に従い用紙等の記録媒体に印刷する。印刷はＣＭＹＫを要素色として行われることができる。
【０１０１】
スキャン処理部４０７は、原稿台の所定の読取位置にセットされた原稿、またはＡＤＦ（Ａｕｔｏ  Ｄｏｃｕｍｅｎｔ  Ｆｅｅｄｅｒ）により所定の読取位置に搬送された原稿に対して蛍光ランプ等の光源から光を照射し、その反射光をＣＣＤ（Ｃｈａｒｇｅ  Ｃｏｕｐｌｅｄ  Ｄｅｖｅｉｃｅ）イメージセンサやＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサ等の受光素子でスキャン（走査）しながら受光することで原稿画像のデジタルデータを生成する。
【０１０２】
コントローラインタフェース４０８は、ローカル接続されたプリンターコントローラ３０と通信するためのインターフェースである。
【０１０３】
測色器２０は、プリンター４０から出力される印刷物の所定の部分の色彩値を測定し、測定した色彩値をクライアントコンピュータ１０に送信する。
【０１０４】
なお、測色器２０は、色彩値そのものを送信しなくてもよく、分光反射率データをクライアントコンピュータ１０に送信し、クライアントコンピュータ１０が分光反射率データに基づいて色彩値を算出するようにしてもよい。
【０１０５】
図６は、本実施形態に係る画像形成装置のキャリブレーション方法のフローチャートを示す図である。本フローチャートは、クライアントコンピュータ１０のＨＤＤ１０３に記憶されているプログラムにより実施されることができる。
【０１０６】
クライアントコンピュータ１０においてプログラムが起動されると、クライアントコンピュータ１０の表示部１０５にキャリブレーションマネージャー画面が表示される。
【０１０７】
図７は、キャリブレーションマネージャー画面を示す図である。図７に示すように、キャリブレーションマネージャー画面は、「インフォメーション」、「キャリブレーションフロー」、「単色ステップ」、および「グレーステップ」をそれぞれ表示する領域を有する。「インフォメーション」領域には、最新のキャリブレーション実施日が表示される。「キャリブレーションフロー」領域においては、紙種・スクリーンの設定、単色キャリブレーションおよびグレーバランスキャリブレーションに関するユーザーによる各種指示が入力されるとともに、複数回のキャリブレーションの各回の平均色差ΔＥａｖｅ、最大色差ΔＥｍａｘ等が表示される。「単色ステップ」領域には、単色キャリブレーション後の測色値等が表示される。「グレーステップ」領域には、グレーバランスキャリブレーション後の測色値から算出された色ずれ等が表示される。
【０１０８】
キャリブレーションマネージャー画面において、「キャリブレーション開始」ボタン７０１がユーザーにより押されると、クライアントコンピュータ１０はユーザーに対し単色キャリブレーションの実施を誘導するように動作する（Ｓ６０１）。
【０１０９】
「キャリブレーション開始」ボタン７０１が押されると、クライアントコンピュータ１０の指示に基づいて、ステップパッチがプリンター４０により印刷される。ユーザーは印刷されたステップパッチについて測色器２０による測色を行い、測色値を測色器２０からクライアントコンピュータ１０に送信する。
【０１１０】
クライアントコンピュータ１０は、測色器２０から受信したステップパッチの測色値のうち単色のステップパッチの測色値とターゲット値との差に基づいて補正値を算出し、算出した補正値によりプリンターコントローラ３０の色変換テーブルを補正する。色変換テーブルは、単色のステップパッチの測色値に基づいて、色変換テーブルによる色変換後の単色のステップパッチの各階調の濃度をターゲット値の各階調の濃度に近づくように補正されることができる。このように、単色のステップパッチの測色値に基づいて色変換テーブルが補正されることにより、単色キャリブレーションが実施される。
【０１１１】
次に、「精度測定」ボタン７０２がユーザーにより押されると、単色キャリブレーションがなされた色変換テーブルにより色変換されたステップパッチがプリンター４０により印刷される。ユーザーは印刷されたステップパッチについて測色器２０による測色を行い、測色値を測色器２０からクライアントコンピュータ１０に送信する。
【０１１２】
ステップパッチについての測色値がクライアントコンピュータ１０により受信されると、単色キャリブレーションがなされた後の単色のステップパッチの各階調に対する濃度のチャートがユーザーの選択に基づくＣＭＹＫのいずれかの色について「単色ステップ」に表示される。また、クライアントコンピュータ１０は、ステップパッチの測色値に基づいて、ＣＩＥＬＡＢ色空間のａ＊、ｂ＊の値からそれぞれターゲット値を減算することで色ずれΔａ＊、Δｂ＊を算出する。算出された色ずれΔａ＊、Δｂ＊は、ステップパッチの階調順に連続的にグラフ７０６として「グレーステップ」領域に表示される。
【０１１３】
なお、グラフ７０６に表示される色ずれは、測色値に基づく、表色系の明度を含まない直交２軸上の各値からターゲット値が減算されることにより算出される色ずれであればよい。例えば、測色値に基づく、ＣＩＥＣＡＭ色空間のａ、ｂの値からターゲット値が減算されることにより算出される色ずれΔａ、Δｂであってもよい。また、測色値に基づく、ＣＩＥＬＵＶ色空間のｕ＊、ｖ＊の値からターゲット値が減算されることにより算出される色ずれΔｕ＊、Δｖ＊であってもよい。
【０１１４】
グラフ７０６の横軸は、測色器２０に入力されるデータの数値を示しており、具体的には、測色器２０の測定対象である各ステップパッチにおいて一定比率で重ねられた有彩色の各有彩色共通の濃度を示している。グラフ７０６の横軸は、色ずれΔａ＊、Δｂ＊の値を示している。
【０１１５】
ユーザーは、グラフ７０６を参照することにより、色ずれの正負の逆転の回数、および色ずれの正負が逆転するときの色ずれの変化幅を検知し、色ずれの正負の逆転の回数、および色ずれの正負が逆転するときの色ずれの変化幅の少なくともいずれかに基づいて色ずれの程度を把握することができる。
【０１１６】
なお、「グレーステップ」領域には、さらに、ステップパッチについての測色値に基づく色相角から対応する色相角のターゲット値をそれぞれ減算することにより算出された色相角差がステップパッチの階調順に連続的に表示されてもよい。無彩色に近い色では、目視における色の小さな差に対して色相角では大きな差となる性質があるため、色相角差が表示されることにより、色ずれの程度をより高精度に検知することができる。
【０１１７】
キャリブレーションマネージャー画面において、「ＧＢ調整ウィザードの開始」ボタン７０３がユーザーにより押されると、クライアントコンピュータ１０はユーザーに対しグレーバランスキャリブレーションの実施を誘導するように動作する（Ｓ６０２）。
【０１１８】
「ＧＢ調整ウィザードの開始」ボタン７０３が押されると、クライアントコンピュータ１０の指示に基づいて、ステップパッチがプリンター４０により印刷される。ユーザーは印刷されたステップパッチについて測色器２０による測色を行い、測色値を測色器２０からクライアントコンピュータ１０に送信する。
【０１１９】
クライアントコンピュータ１０は、測色器２０から受信したステップパッチの測色値とターゲット値との差に基づいて補正値を算出し、算出した補正値によりプリンターコントローラ３０の色変換テーブルを補正する。色変換テーブルは、ステップパッチの測色値のグレーバランスおよびターゲット値に基づいて、色差の平均値ΔＥａｖｅおよび色差の最大値ΔＥｍａｘがより小さくなるように補正されることができる。このように、ステップパッチの測色値のグレーバランスに基づいて色変換テーブルが補正されることにより、色変換処理の補正であるグレーバランスの補正（以下、「グレーバランス補正」と称する）がなされる。
【０１２０】
グレーバランス補正は複数回行われる。グレーバランスの補正を行う回数は、グレーバランス精度と工数との兼ね合いを考慮して、３〜５回とすることが望ましい。
【０１２１】
複数回のグレーバランス補正が終了すると、クライアントコンピュータ１０は、「キャリブレーションフロー」領域の補正一覧表７０４に、各グレーバランス補正の表示がなされる。補正一覧表７０４には、各グレーバランス補正について、補正の回数、実施日時、色差の平均値ΔＥａｖｅ、および色差の最大値ΔＥｍａｘが表示される。また、グラフ７０６には、最後のグレーバランス補正の結果として色ずれのグラフが表示される（Ｓ６０３）。この際、グレーバランス補正が行われたいずれかの回数のグレーバランスにおける色ずれを選択するためのプルダウンメニュー７０５は、最後のグレーバランス補正の回数である「ＦＢ  ３」が選択された状態になっている。ここで、補正一覧表７０４において、回数を示す記号のうち「ＦＢ」はグレーバランス補正によるフィードバックを意味し、数字はグレーバランス補正の回数を意味する（「ＦＢ  ０」はグレーバランス補正は行われたがフィードバックは１回も行っていない状態である）。
【０１２２】
クライアントコンピュータ１０は、プルダウンメニュー７０５においてユーザーに選択された回数のグレーバランス補正の結果を色ずれのグラフとして表示する（Ｓ６０４）。なお、ユーザーは、プルダウンメニュー７０５において補正の回数として「Ｃａｌ」を選択することにより単色キャリブレーションの結果を色ずれのグラフとして表示することもできる。
【０１２３】
クライアントコンピュータ１０は、プルダウンメニュー７０５において補正の回数が選択された状態でユーザーに「登録」ボタン７０７が押されることにより、その回数のグレーバランス補正による色変換テーブルの補正をプリンタードライバー３０の色変換テーブルに適用する（Ｓ６０６）。
【０１２４】
図８は色ずれの正負の逆転の回数、および色ずれの正負が逆転するときの色ずれの変化幅が検知可能に示されている色ずれのグラフを示す説明図である。
【０１２５】
図８に示す例においては、色ずれのグラフにおいて色ずれの正負が逆転する箇所は図の点Ａのみである。従って、この例の場合は、色ずれの正負の逆転の回数は１であることが検知できる。また、同グラフにおいて、色ずれの正負が逆転する点Ａの前後１０％の階調幅における色ずれの変化幅はＷ１であることが検知できる。従って、色ずれの正負が逆転するときの色ずれの変化幅を色ずれの正負が逆転する点の前後１０％の階調幅における色ずれの変化幅と定義することにより、色ずれの正負が逆転するときの色ずれの変化幅を検知することができる。なお、色ずれの正負が逆転するときの色ずれの変化幅は、色ずれの正負が逆転する点の前後における正負のピーク値の差と定義されてもよい。また、色ずれの正負が逆転するときの色ずれの変化幅は、ステップパッチの階調単位で、色ずれの正負が逆転する逆転直前と逆転直後の正負の異なる２つのステップパッチの色ずれの差の絶対値と定義されてもよい。
【０１２６】
色ずれの正負の逆転の回数は色転びの回数を示すものであり、色ずれの正負が逆転するときの色ずれの変化幅は各色転びの大きさを示すものである。従って、色ずれの正負の逆転の回数、および色ずれの正負が逆転するときの色ずれの変化幅の少なくともいずれかに基づいて色転びの程度を評価することができる。色転びの程度が大きくなるほど目視評価における色再現性が劣化する。
【０１２７】
従って、色転びの程度がより低いグレーバランスを与える色変換テーブルをプリンターコントローラの色変換テーブルに適用することにより目視評価における色再現性を向上させるキャリブレーションを簡易かつ的確に行うことができる。
【０１２８】
色ずれの正負が逆転する回数、および色ずれの正負が逆転するときの色ずれの変化幅の双方に基づいて色転びの程度を判断する場合は、例えば、以下の作業により色転びの程度を判断することができる。
【０１２９】
（１）ステップパッチの階調単位で、隣接する２つのステップパッチの測色値の色ずれの正負が異なる色転びについては、隣接するステップパッチの色ずれの差の絶対値を色転びの大きさとして算出する。
【０１３０】
（２）ステップパッチの階調単位で、隣接する３つのステップパッチの測色値の色ずれの中央のステップパッチの色ずれが０で、１番目と３番目のステップパッチの色ずれの正負が異なる色転びについては、１番目と３番目のステップパッチの色ずれの差の絶対値の２分の１を色転びの大きさとして算出する。
【０１３１】
（３）色転びが生じているすべての箇所における（１）および（２）により算出された数値の総和を算出し、これを色転びの程度とする。
【０１３２】
例えば、色ずれの算出結果が表１に示す数値であった場合は、次のように色転びの程度が算出される。
【０１３３】
【表１】
2014064107.tif 000003
【０１３４】
色ずれΔａ＊については、入力が１５％〜２５％の箇所において色転びが発生しており、その色転びの大きさは、２−（−１）＊０．５＝１．５と算出される。また、色ずれΔｂ＊については、入力が６０％〜７０％の箇所において色転びが発生しており、その色転びの大きさは、１−（−１）＊０．５＝１と算出される。従って、色転びの程度は１．５＋１＝２．５と算出される。
【０１３５】
算出された色転びの程度に基づき色転びの程度を段階分けした評価指標を表２に示す。
【０１３６】
【表２】
2014064107.tif 000004
【０１３７】
表１の色ずれの算出結果に基づき色転びの程度を算出すると２．５である。従って、この例の色転びの程度は、表２によれば中程度の色転びと評価される。
【０１３８】
（実施例）
本実施形態の実施例について説明する。
【０１３９】
色転びの程度が異なるグレーバランスを与えるように画像形成装置のキャリブレーションを行い、各キャリブレーションがなされた色変換テーブルによりそれぞれ色変換がされた写真画像を使用しカラーマッチングの目視評価を行った。
【０１４０】
[条件と方法]
１．単色キャリブレーション後にグレーバランス補正と複数回のフィードバックを行った。図９は、フィードバック回数Ａおよびフィードバック回数Ｂのグレーバランスの色ずれのグラフを示す図である。図９のＡは色転びがある比較例の色ずれのグラフであり、Ｂは色転びがない実施例の色ずれのグラフである。
２．図９に示す色ずれを有するグレーバランスを与える２つの色変換テーブルにより色変換された一般的な写真画像を数枚印刷した。
３．印刷物の色調整経験者５名により、印刷した写真画像とターゲットとを比較することによりカラーマッチングの目視評価を行った。
４．目視評価は、写真画像とターゲットとの見た目の類似度と好ましさ（違和感のなさ）の２つの観点から行った。
５．類似度の目視評価は、５点満点とする点数制により、全く一致するとみなせる場合は５点、実用可能な下限を３点、実用不可の場合は２点以下として行った。
６．好ましさの目視評価は、５点満点とする点数制により、好ましい場合は５点、実用可能な下限を３点、実用不可の場合は２点以下として行った。
【０１４１】
[結果]
表３は、色転びがないグレーバランスの写真画像のカラーマッチングの目視評価を色転びがあるグレーバランスの写真画像のカラーマッチングの目視評価と比較して示す表である。
【０１４２】
【表３】
2014064107.tif 000005
【０１４３】
全体的な色再現精度を評価する色差ΔＥにおいては、比較例（キャリブレーションＡ）の方が良好であるが、好ましさの観点からの目視評価では実施例（キャリブレーションＢ）の方が評価が高かった。また、実施例と比較例とで類似度の観点からの評価に差はなかった。
【０１４４】
本実施例により、印刷物のグレーバランスにおいて色転びを無くすように色変換処理の補正を行うことにより良好な目視評価が得られることが実証された。
【０１４５】
以上、本発明の第１実施形態に係る画像形成装置用キャリブレーション装置、キャリブレーション装置用プログラム、キャリブレーション装置用プログラムが記録されたコンピュータ読取可能な記録媒体、および画像形成装置のキャリブレーション方法について説明したが、本実施形態は以下の効果を奏する。
【０１４６】
測色値に基づくグレーバランスへの複数回のフィードバックにより得られた複数のグレーバランスのうちいずれが最適かを判断する際、色ずれの正負が逆転する回数、および色ずれの正負が逆転するときの色ずれの変化幅を検知可能に各グレーバランスについて色ずれを表示する。これにより、ユーザーは、色ずれの正負の逆転の回数、および色ずれの正負が逆転するときの色ずれの変化幅の少なくともいずれかに基づいて色転びの程度を判断することができる。そして、色転びの程度がより低いグレーバランスを画像形成装置のグレーバランスとして適用することにより、画像形成装置のキャリブレーションを簡易かつ的確に行うことができる。
【０１４７】
（第２実施形態）
以下、図面を参照して、本発明の第２実施形態に係る画像形成装置用キャリブレーション装置、キャリブレーション装置用プログラム、キャリブレーション装置用プログラムが記録されたコンピュータ読取可能な記録媒体、および画像形成装置のキャリブレーション方法について詳細に説明する。
【０１４８】
本実施形態は第１実施形態と次の点で異なる。すなわち、本実施形態においては、測色値に基づく色ずれのグラフにおいて色ずれの正負が逆転する箇所を検出し、その箇所を表示する点である。その他の点については本実施形態は第１実施形態と同様であるため説明を省略する。
【０１４９】
図１０は、クライアントコンピュータの機能を示すブロック図である。
【０１５０】
本実施形態においては、色調整指示部１２０において色転び検出部１２１をさらに有する。色転び検出部１２１は、判定手段を構成する。
【０１５１】
色転び検出部１２１は、色調整指示部１２０により算出された色ずれの数値に基づいて色ずれの正負が逆転する箇所を検出し、検出箇所を色ずれのグラフに表示するように表示部１３０に指示する。
【０１５２】
表示部１３０は、色転び検出部１２１による指示に従い、色ずれのグラフに色ずれの正負が逆転する箇所を色転びの発生個所として色ずれのグラフ上に表示する。
【０１５３】
図１１は、クライアントコンピュータの表示部に表示される色ずれのグラフに色ずれの正負が逆転する箇所が表示された状態を示す説明図である。
【０１５４】
図１１に示すように、色ずれの正負が逆転する箇所にメッシュの帯が表示されており、これにより、色転びの発生が表示されている。
【０１５５】
なお、色ずれのグラフにおいて、さらに、色ずれの正負が逆転するときの色ずれの変化幅の大きさを表示することが望ましい。色ずれの正負が逆転するときの色ずれの変化幅の大きさは、数値で表示されてもよいし、その大きさに応じて面積が増大するような図形により表示されてもよい。また、その大きさに応じて色の濃度を増大することにより表示されてもよく、その大きさに応じて注意を喚起する程度の高い色に色を変化させることにより表示されてもよい。これにより、ユーザーは、色転びの程度を即座に認識することができ、キャリブレーションの結果を短時間かつ的確に画像形成装置の色変換処理に適用することができる。
【０１５６】
以上、本発明の第２実施形態に係る画像形成装置用キャリブレーション装置、キャリブレーション装置用プログラム、キャリブレーション装置用プログラムが記録されたコンピュータ読取可能な記録媒体、および画像形成装置のキャリブレーション方法について説明したが、本実施形態は以下の効果を奏する。
【０１５７】
測色値に基づく複数回のフィードバックにより得られた複数のグレーバランスのうちいずれが最適かを判断する際、色ずれの正負が逆転する回数、および色ずれの正負が逆転するときの色ずれの変化幅をより短時間で検知可能に各グレーバランスについて色ずれを表示する。これにより、ユーザーは、色ずれの正負の逆転の回数、および色ずれの正負が逆転するときの色ずれの変化幅の少なくともいずれかに基づいて色転びの程度を短時間で判断することができる。そして、色転びの程度がより低いグレーバランスを画像形成装置のグレーバランスとして適用することにより、画像形成装置のキャリブレーションを簡易、的確、かつ短時間に行うことができる。
【０１５８】
以上、本発明の実施形態に係る画像形成装置用キャリブレーション装置、キャリブレーション装置用プログラム、キャリブレーション装置用プログラムが記録されたコンピュータ読取可能な記録媒体、および画像形成装置のキャリブレーション方法について説明したが、本発明は上述した実施形態に限定されるものではない。
【０１５９】
例えば、上記実施形態においては、色調整指示部の機能をクライアントコンピュータが有するように構成しているが、プリンターコントローラが色調整指示部の機能を有するようにしてもよい。
【０１６０】
また、上記実施形態においては、印刷物の測色値に基づく複数回のフィードバックにより得られた複数のグレーバランスのうちいずれを画像形成装置の色変換処理に適用するかをユーザーが判断するようにしている。しかし、色転びの程度を数値化することにより、フィードバックにより得られた複数のグレーバランスのうちいずれを画像形成装置の色変換処理に適用するかをクライアントコンピュータが判断するようにしてもよい。また、色転びの程度を数値化するにあたり、色ずれの正負が逆転する回数、または色ずれの正負が逆転するときの色ずれの変化幅に対し適当な重み付けがされてもよい。
【符号の説明】
【０１６１】
１    画像形成システム、
１０    クライアントコンピュータ、
２０    測色器、
３０    プリンターコントローラ、
１１０    入力部、
１１１    指示・選択入力部、
１１２    測色値受信部、
１２０    色調整指示部、
１３０    表示部、
１４０    出力部。
【図１】
2014064107.tif 000006
【図２】
2014064107.tif 000007
【図３】
2014064107.tif 000008
【図４】
2014064107.tif 000009
【図５】
2014064107.tif 000010
【図６】
2014064107.tif 000011
【図７】
2014064107.tif 000012
【図８】
2014064107.tif 000013
【図９】
2014064107.tif 000014
【図１０】
2014064107.tif 000015
【図１１】
2014064107.tif 000016